(57)【要約】【課題】  法令上、より安全な構造で快適な居住空間を得るための守らなければならない制約を解消しつつ、尚且つ、居住空間を最大限有効に活用することを課題とする。【解決手段】  地盤上に設けた基礎面２と、該基礎面２の上方に設けた１階の床面３と、前記基礎面２の露出基礎面４から１．４ｍ以下の距離を空けて設けられた中２階の床面５と、前記中２階の床面５よりも高い位置に設けた中２階収納部床面６と、前記中２階収納部床面６から１．４ｍ以下の距離を空けた上方等を塞ぐようにして設けた平坦な２階の床面７と、屋上床面５６と、を具備し、前記露出基礎面４と中２階の床面５との間に半地下収納部８を設け、且つ、前記中２階収納部床面６と前記２階の床面５との間に中２階収納部９を設けたこと。【選択図】  図６
2011001761.tif 000002
【特許請求の範囲】
【請求項１】
地盤上に設けた基礎面と、
該基礎面の一部の上方に設けた１階の床面と、
前記基礎面の１階の床面を設けていない残余の露出基礎面から１．４ｍ以下の距離を空けて設けられた中２階の床面と、
前記１階の床面の一部上方位置で且つ前記中２階の床面よりも高い位置に設けた中２階収納部床面と、
前記１階の床面の一部上方、前記中２階の床面の上方及び前記中２階収納部床面から１．４ｍ以下の距離を空けた上方を塞ぐようにして設けた平坦な２階の床面と、
前記２階の床面の一部上方と屋根面の間に設けた屋上床面と、
を具備し、
前記露出基礎面と中２階の床面との間に半地下収納部を設け、且つ、前記中２階収納部床面と前記２階の床面との間に中２階収納部を設けたことを特徴とする家屋。
【請求項２】
前記家屋が２×４工法によって建造されたことを特徴とする請求項１に記載の家屋。
【発明の詳細な説明】
【技術分野】
【０００１】
この発明は、家屋の上下方向の空間を有効活用することができる家屋に関する。
【背景技術】
【０００２】
家屋の限られた住居空間をできる限り有効活用し、尚且つ居住者に窮屈感を与えない家屋を建造することは従来から望まれていることではあるが、構造上、法令上、価格上などの種々の制限があり、求める理想の家屋が建造出来難い状況にある。
【発明の概要】
【発明が解決しようとする課題】
【０００３】
特に、法令上の課題、すなわち、より安全な構造で快適な居住空間を得るための守らなければならない制約を解消しつつ、尚且つ、居住空間を最大限有効に活用することを課題としてなされたものである。
【０００４】
この発明は上記事情に鑑みて、鋭意研究を重ねた結果、求める理想に一歩近づいた家屋を完成するに至り、ここにその発明を出願するに至った次第である。
【課題を解決するための手段】
【０００５】
前記課題を解決するための請求項１の手段は、地盤上に設けた基礎面と、該基礎面の一部の上方に設けた１階の床面と、前記基礎面の１階の床面を設けていない残余の露出基礎面から１．４ｍ以下の距離を空けて設けられた中２階の床面と、前記１階の床面の一部上方位置で且つ前記中２階の床面よりも高い位置に設けた中２階収納部床面と、前記１階の床面の一部上方、前記中２階の床面の上方及び前記中２階収納部床面から１．４ｍ以下の距離を空けた上方を塞ぐようにして設けた平坦な２階の床面と、前記２階の床面の一部上方と屋根面の間に設けた屋上床面と、を具備し、前記露出基礎面と中２階の床面との間に半地下収納部を設け、且つ、前記中２階収納部床面と前記２階の床面との間に中２階収納部を設けたことを特徴とするものである。
【０００６】
請求項２の手段は、前記家屋が２×４工法によって建造されたことを特徴とするものである。
【発明の効果】
【０００７】
本発明の家屋は、１階の床面と中２階の床面の合計の床面で通常の１階の床面と同じ面積を有するので、同じ数の部屋を設けることができる。又、２階の床面の合計も通常の2階の床面と同じであるので、同じ数の部屋を設けることができる。しかし、本発明の家屋は、このような通常の家屋の床面の面積に加えて、露出基礎面と中２階の床面との間に形成した半地下収納部と、中２階収納部床面と２階の床面との間に形成した中２階収納部を具備することができる。すなわち、延べ床面積の制限のある中で、居室を減らさずに収納室を設けることが出来る。これは半地下収納部及び中２階収納部の天井高さが１．４ｍ以内であるので、家屋の延べ床面積には加えられないにも関わらず、実質的には利用面積の広い家屋を得ることが出来るからである。
【０００８】
又、上方に前記中２階収納部を設けるための中２階収納部床面がない一階の床面上の空間は、吹抜けや高天井とすることができるので、居住空間を広々と開放感のあるものとして利用できる。
【０００９】
更に、前記半地下収納部の露出基礎面は、１階の床面とはわずかに床面の部材の高さ分しか高低差がないので、収納し易く使い勝手がよく、又、中２階収納部の床面は、１，２階の途中にあるので、収納し易く且つ使い易い利点がある。
【００１０】
更に又、中２階収納部は、１，２階の層の間に中２階収納部床面を設けるだけの構造であるから、専用の階段や梯子が不要であり設計の自由度が向上する。
【００１１】
加えて、本願の家屋は、露出基礎面、１階の床面、中２階の床面、中２階収納部床面、２階の床面及び屋上床面の６層から構成されるが、法令的には２階建て家屋であるのにかかわらず、居住空間、収納空間が共に広く得られるという利点がある。
【００１２】
請求項２の発明によると、２×４工法の壁パネルの高さを通常の家屋の１階の高さに加えて収納部の高さとして、半地下収納部の高さと中２階収納部の高さをあらかじめ付け加える構造とすることによって、一般的なスキップフロア構造より低コストで建造できる利点がある。また、在来木造工築によって同じように階高を上げようとすると、長い柱が必要になるが、２×４工法によると安価に建造することができる利点がある。
【図面の簡単な説明】
【００１３】
【図１】この発明の実施形態の家屋の全体斜視図。
【図２】家屋の露出基礎面及び１階の床面の間取りと部屋説明図。
【図３】家屋の中２階の床面及び中２階の収納部床面の間取りと部屋説明図。
【図４】家屋の２階の床面の間取りと部屋説明図。
【図５】家屋の屋上床面の間取りと部屋説明図。
【図６】図２のA−A線断面説明図。
【図７】図２のB−B線断面説明図。
【図８】図２のC−C線断面説明図。
【図９】基礎面と１階の床面の拡大断面説明図。
【図１０】家屋の正面図。
【図１１】家屋の背面図。
【図１２】家屋の左側面図。
【図１３】家屋の右側面図。
【図１４】家屋の平面図。
【発明を実施するための形態】
【００１４】
この発明の実施の形態について、以下図に基づいて説明する。
この発明の家屋１は、図１〜図８に示すように、敷地内の地盤上に設けた基礎面２と、該基礎面２の一部の上方に設けた家屋１の１階の床面３と、前記基礎面２の１階の床面３を形成していない残余の露出基礎面４から階高さ以下の距離を空けて設けられた中２階の床面５と、前記１階の床面３上方位置で且つ前記中２階の床面５よりも高い位置に設けた中２階収納部床面６と、前記１階の床面３の一部上方、前記中２階の床面５の上方及び前記中２階収納部床面６の上方を塞ぐようにして設けた平坦な２階の床面７と、を具備し、前記露出基礎面４と該露出基礎面４から１．４ｍ以下の距離を空けて設けた中２階の床面５との間に半地下収納部８を設け、且つ、前記中２階収納部床面６と前記２階の床面７との間に中２階収納部９を設けた家屋である。
【００１５】
前記基礎面２は、図９に示すように、砕石または栗石１０の上方に防湿フィルム１１を敷いてから鉄筋１２を組んで土間コンクリート１３を打設して表面をモルタルで仕上げたものである。
【００１６】
前記１階の床面３は、前記基礎面２の一部の面積の上方に大引１４を並べて敷き、隣接する大引１４の間に断熱材１５を介在させ、更に大引１４の上方に構造用合板１６を固定してから木質フローリング１７を敷いたものである。これにより、基礎面２からの１階の床面３の高さは、本実施例においては、大引１４、構造用合板１６及び木質フローリング１７の厚さによって定まるが。通常は１０〜２０ｃｍ程度であるが、これに限定されるものではない。この１階の床面３はこの施工例に限定されることなく、他の構成であってもよい。又、１階の床面３を敷設する面積、敷設位置は、とくに限定されるものではなく、その家屋１の施主の事情に応じて適宜選択される。
【００１７】
本実施例においては、図２、図６によく現れているように、１階の床面３は、基礎面２全体の約２／３程度を占め、家屋１の一端寄りに設け、その上方には玄関ホール１８、リビング１９、台所兼食堂２０が間仕切り壁２１によって区分けして設けられている。又、リビング１９と台所兼食堂２０の間仕切り壁２１には、往き来可能な開口部２２が設けられ、又、玄関ホール１８とリビング１９の間仕切り壁２１の間とも同様に開口部２２が設けられている。又、リビング１９、台所兼食堂２０の外壁２３にも出入自在な開口部２２が設けられ、開き戸２４や引戸２５が設けられている。更に、前記玄関ホール１８の円弧外壁２６は採光用の縦窓２６aを具備して円弧状に形成され、玄関口２７と玄関扉２８の先にある玄関ポーチ２９の一部をカバーしている。玄関ポーチ２９の上方は屋根面３０まで吹き抜け３０１であり、玄関ホール１８の一部及び玄関口２７は高天井２７１となっている。又、玄関ホール１８と玄関口２７に跨って玄関収納部３１が設けられている。
【００１８】
前記露出基礎面４の上方位置には、図３、図７、図８に現れているように、現行法で規制される１．４ｍ以下の距離を空けて中２階の床面５が設けられている。この中２階の床面５へは１階のリビング１９の床面３からの階段３２を上り下りする。この中２階の床面５には南西側の角部に和室３３、階段３２を上った中央部分にトイレ３４、家事コーナー３５が設けられ、北西側の角部に洗面室３６、浴室３７及び納戸３８などが設けられている。和室３３の外壁２３の南側の開口部２２には引戸２５が設けられ、西側の外壁２３には小窓３９が設けられている。更に、トイレ３４の西側の外壁２３、洗面室３６及び浴室３７の北側の外壁２３にも小窓３９が設けられている。この中２階の床面５は、階段４０を通じて踊場４１と繋がり、この踊場４１の高さ位置と同じ位置にある中２階収納部床面６の上方に中２階収納部９であるバーンスペース９１が設けられている。
【００１９】
又、図２、図６、図７に示すように、前記露出基礎面４と中２階の床面５の間の高さが前記のように制限された低い空間で半地下収納部４２を形成し、往き来可能な開口部２２を有する間仕切り壁２１を介してピットスペース４２１とフードスペース４２２に分けられている。ピットスペース４２１は家屋１の南側の外壁２３に設けた半地下出入口４３から外部へ出入自在となっており、ここには引戸２５が設けられている。このピットスペース４２１には例えば自転車、バイク、子供の遊具などが収納できる。又、このピットスペース４２１の西側の外壁２３には小窓３９が設けられて採光や空気の流通を図るようにしている。更に、このピットスペース４２１は、間仕切り壁２１の開口部２２を通じて１階の床面３のリビング１９と往き来自在となっているが、この境界は１階の床面３の高さ分だけの段差が生じている。又、この境界の開口部２２には引戸２５が設けられている。フードスペース４２２は１階の床面３の台所兼食堂２０と間仕切り壁２１に設けた開口部２２を通じて往き来自在となっているが、この境界にも床面３の高さ分の段差が生じている。又、この開口部２２には引戸２５が設けられている。フードスペース４２２の北側の外壁２３には小窓３９が設けられている。このフードスペース４２２は主として、穀類、野菜、飲料缶などの食料を貯蔵しておくスペースとして活用される。
【００２０】
前記中２階収納部９であるバーンスペース９１は、図３、図８に現れているように、前記踊場４１と引戸２５を介して往き来自在となっており、その上方は２階の床面７が位置し、この２階の床面７と中２階収納部床面６との距離は、前記露出基礎面４と中２階の床面５との間隔距離と同様に現行法で規制される１．４ｍ以下となっている。このバーンスペース９１は、主として日常使用する小物類を収納するのに使用するのに適している。又、このバーンスペース９１は、図８に現れているように、台所兼食堂２０の一部上方に位置しているので、台所兼食堂２０の天井の高さはその分だけ背が低くなっているが、この低い部分でも通常の階高さが保持される。そして、バーンスペース９１が位置しない部分は２階の床面５までの高天井２０１となっている。
【００２１】
前記中２階の床面５にある和室３３は、前記中２階収納部９であるライブラリースペース９２と箱階段４４を通じて往き来できるようになっている。このライブラリースペース９２は前記階段ホール１８の一部上方に位置する中２階収納部床面６上にあり、更にその上方には２階の床面７が位置している。そして、ライブラリースペース９２の高さ、即ち、中２階の収納部床面６と２階の床面７との距離は前記バーンスペース９１と同じとなっている。このライブラリースペース９２は主として書庫として使用される。このライブラリースペース９２が位置しない玄関ホール１８及び玄関口２７上方は、前述のように、２階の床面７までの高天井２７１となっている。
【００２２】
前記２階の床面７は、前記踊場４１から階段４５を上ったところにあり、図６に現れているように、前記１階の床面３の一部すなわち台所兼食堂２０の上方、中２階の床面５の上方及び中２階収納部床面６の上方を塞ぐようにして設けた平坦な床面である。図７に示すように、リビング１９の上方には化粧梁４６が設けられているが、吹抜けとなっているために、２階の床面７はなく、屋根面３０に通じるようになっている。又、この２階の床面７と同じ高さ位置で前記玄関ホール１８及び玄関口２７の上方には第１バルコニー４７が設けられている。
【００２３】
図４に示すように、２階の床面７の南西角の中２階の和室３３の上方には主寝室４８が設けられており、この主寝室４８は引戸２５を介して前記第１バルコニー４７と往き来することができる。又、リビング１９の上方位置にはこの主寝室４８と往き来自在なクローゼット４９が設けられている。北西角の中２階の洗面室３６、浴室３７の上方には第１洋室５０が設けられ、この第１洋室５０及び１階の台所兼食堂２０の上方の北東角に設けた第２洋室５１と共有できる共通収納部５２が中２階のバーンスペース９１の上方で且つ２つの第１洋室５０及び第２洋室５１の間に設けられている。第１洋室５０の北側の外壁２３には小窓３９が設けられており、第２洋室５１の東側の外壁２３には２階の床面７と同じ高さ位置に設けた第２バルコニー５３と往き来できる引戸２５を有する開口部２２が設けられている。
【００２４】
この２階の床面７は、図５、図６によく現れているように、階段５４を通じて前記踊場４１の上方にあるペントハウス５５から屋上床面５６に通じている。屋上床面５６にある屋上ガーデン５７は家屋１の西側に位置しており、２階の主寝室４８、第１洋室５０の上方に位置している。そして、この屋上床面５６には前記屋上ガーデン５７に開口した小窓３９を有する外壁２３によって区切られた第１ロフト５８が、２階の共通収納部５２の上方に設けられている。そして、この第１ロフト５８は梯子階段５９を登って第２洋室５１から上れるようになっている。更に、２階のクローゼット４９の上方には、第１ロフト５８と同じ高さ位置で第２ロフト６０が設けられており、この第２ロフト６０へは主寝室４８から梯子階段５９で上ることができるようになっている。
【００２５】
屋根面３０は、図１、図６によく現れているように、一方向へ傾斜した斜め屋根で、その下方端は第２バルコニー５３の一部上方を覆い、その上方は屋上床面５６の屋上ガーデン５７の一部にまで達している。
【００２６】
以上の構成からなるこの家屋１によると、一階の床面３に設けた台所兼食堂２０、リビング１９及び玄関ホール１８、そして玄関口２７、又、中２階の床面５に設けた和室３３、トイレ３４、家事コーナー３５、洗面室３６、浴室３７、及び納戸３８の各部屋の合計面積は、通常の１階の床面積と同じ広さである。又、２階の床面７も、リビング１９の吹抜１９１空間を除いて、主寝室４８、第１洋室５０、第２洋室５１、共通収納部５２、クローゼット４９の各部屋の合計面積も通常の２階の床面積と同じ広さである。この発明の家屋１は、以上の１階の床面３と中２階の床面５に設けた部屋及び２階の床面７に設けた部屋に加えて、露出基礎面４及び中２階収納部床面６上に設けた半地下収納部８及びバーンスペース９１やライブラリースペース９２の中２階収納部９の部屋を具備しているので、その分、家屋１を有効活用できる。
【００２７】
これらの有効活用できる部屋は、その高さが１．４ｍ以下の低いスペースではあるが、使用目的によっては充分活用できる。また、その高さは、法令が改正になればその法令に合致するように変更すればよい。その場合でも、最高は通常の階高さ以下であることは当然である。
【００２８】
又、前記中２階収納部９を設けない１階の床面３の部屋の天井高さはその分高くなるので、居住空間が広くなり快適な生活を送ることが出来る。更に又、屋上面５６の第１ロフト５８、第２ロフト６０及び屋上ガーデン５７は家屋１の構造によって任意に設計できるものであるが、この家屋１の場合には有効活用できる。
【００２９】
上述のように、この家屋１は、露出基礎面４、１階の床面３、中２階の床面５、中２階収納部床面６、２階の床面７及び屋上床面３０の６層の家屋とすることで、高さ方向に多くの部屋を形成できる。そして、これらの各部屋へは、既設の階段あるいは床面高さ分のステップを踏むことによって往き来が容易に可能であるので、不自由することなく、快適な生活を営むことができる。
【００３０】
加えて、露出基礎面、１階の床面、中２階の床面、中２階収納部床面、２階の床面及び屋上床面の６層から構成されるが、法的には２階建て家屋であり、居住空間、収納共に利点がある。
【００３１】
更にまた、２×４工法の壁パネルの高さを通常の家屋の１階の高さに加えて収納部の高さとして、半地下収納部の高さと中２階収納部の高さをあらかじめ付け加える構造とすることによって、一般的なスキップフロア構造より低コストで建造できる利点がある。また、在来木造工築によって同じように階高を上げようとすると、長い柱が必要になるが、２×４工法によると安価に建造することができる利点がある。
【産業上の利用可能性】
【００３２】
この発明の家屋は、木造住宅に限らず全ての家屋の建造に応用することができるので、その利用範囲は大きいものである。
【符号の説明】
【００３３】
１      家屋
２      基礎面
３      １階の床面
４      露出基礎面
５      中２階の床面
６      中２階収納部床面
７      ２階の床面
８      半地下収納部
９      中２階収納部
３０    屋根面
５６    屋上床面
【図１】
2011001761.tif 000003
【図２】
2011001761.tif 000004
【図３】
2011001761.tif 000005
【図４】
2011001761.tif 000006
【図５】
2011001761.tif 000007
【図６】
2011001761.tif 000008
【図７】
2011001761.tif 000009
【図８】
2011001761.tif 000010
【図９】
2011001761.tif 000011
【図１０】
2011001761.tif 000012
【図１１】
2011001761.tif 000013
【図１２】
2011001761.tif 000014
【図１３】
2011001761.tif 000015
【図１４】
2011001761.tif 000016